(57)【特許請求の範囲】
【請求項１】
色剤カートリッジ内の色剤を使用して画像形成を行う画像形成装置において、
無線ＩＣタグを装着した色剤カートリッジと、
前記無線ＩＣタグに対するデータのリードライトを行うリーダーライターとを備え、
前記色剤カートリッジは、複数のカートリッジ側接触端子と、前記複数のカートリッジ側接触端子の間に設けられた、前記無線ＩＣタグの種別に対応する負荷とを備え、
前記リーダーライターは、前記無線ＩＣタグとの無線通信のためのアンテナコイルと、前記色剤カートリッジが当該画像形成装置に装着されたときに前記複数のカートリッジ側接触端子にそれぞれ接触する複数のリーダーライター側接触端子とを備え、前記リーダーライター側接触端子に対して電気的に接続されている前記負荷に応じて、前記リーダーライターの無線送信特性を調整すること、
を特徴とする画像形成装置。
【請求項２】
前記リーダーライターは、被変調信号または搬送波を前記アンテナコイルに供給する変調回路を備え、前記負荷によって前記変調回路の電源電圧を調整して前記アンテナコイルの送信電力を調整することで、前記リーダーライターの無線送信特性を調整することを特徴とする請求項１記載の画像形成装置。
【請求項３】
前記リーダーライターは、前記アンテナコイルとともに共振回路を構成するキャパシターをさらに備え、前記負荷によって前記共振回路のＱ値を調整することで、前記リーダーライターの無線送信特性を調整することを特徴とする請求項１記載の画像形成装置。
【請求項４】
メインコントローラーをさらに備え、
前記リーダーライターは、前記無線ＩＣタグに対するデータのリードライトのために前記データの符号化処理および復号化処理を行うタグコントローラーをさらに備え、
前記タグコントローラーの電源電力は、前記複数のカートリッジ側接触端子および前記複数のカートリッジ側接触端子を介して供給され、
前記メインコントローラーは、前記タグコントローラーとの間でデータ通信を行い、前記タグコントローラーからの応答がない場合には、前記無線ＩＣタグが存在していないと判定すること、
を特徴とする請求項１記載の画像形成装置。
【請求項５】
画像形成装置において使用される色剤カートリッジに装着されている無線ＩＣタグに対するデータのリードライトを行うリーダーライターにおいて、
前記無線ＩＣタグとの無線通信のためのアンテナコイルと、
前記色剤カートリッジが当該画像形成装置に装着されたときに、前記色剤カートリッジ上の複数のカートリッジ側接触端子にそれぞれ接触する位置における複数のリーダーライター側接触端子とを備え、
前記リーダーライター側接触端子に対して電気的に接続されている、複数のカートリッジ側接触端子の間に設けられている負荷に応じて、無線送信特性を調整すること、
を特徴とするリーダーライター。
【請求項６】
画像形成装置において使用される色剤カートリッジにおいて、
無線ＩＣタグと、
複数のカートリッジ側接触端子と、
前記複数のカートリッジ側接触端子の間に設けられた負荷とを備え、
前記複数のカートリッジ側接触端子は、当該色剤カートリッジが前記画像形成装置に装着されたときに、前記無線ＩＣタグに対するデータのリードライトを行うリーダーライターにおける複数のリーダーライター側接触端子にそれぞれ接触する位置に配置されており、
前記負荷は、前記無線ＩＣタグの種別に対応して前記リーダーライターの無線送信特性を調整させるために、前記無線ＩＣタグの種別に対応したインピーダンスを有すること、
を特徴とする色剤カートリッジ。
【発明の詳細な説明】
【技術分野】
【０００１】
本発明は、画像形成装置、リーダーライター、および色剤カートリッジに関するものである。
【背景技術】
【０００２】
ある画像形成装置では、トナーカートリッジに無線ＩＣ（Integrated Circuit）タグが装着されており、リーダーライターでその無線ＩＣタグに対して各種情報のリードライトを行う（例えば特許文献１参照）。【０００３】
別の装置は、リーダーと無線ＩＣタグとの間で通信不良が発生した場合、リーダーに対して無線ＩＣタグがヌルポイントに配置されているものと判断して、リーダー側の無線送信特性（送信電力など）を変化させて、ヌルポイントの解消を試みている（例えば特許文献２参照）。
【先行技術文献】
【特許文献】
【０００４】
【特許文献１】特開２００９−１２８７８３号公報
【特許文献２】特開２００３−０３６４１８号公報
【発明の概要】
【発明が解決しようとする課題】
【０００５】
画像形成装置のトナーカートリッジに装着されている無線ＩＣタグには、機種によって異なるものが使用されるため、画像形成装置において使用されるリーダーライターは、通常、色剤カートリッジ（粉体状の色剤を収容するトナーカートリッジまたは液体状の色剤を収容するインクカートリッジ）に装着される無線ＩＣタグの種別に応じた仕様を有する。【０００６】
例えば、２ｍｍ角の無線ＩＣタグのためのリーダーライターと、２ｃｍ角の無線ＩＣタグのためのリーダーライターとでは、要求される送信電力などが異なるため、２ｍｍ角の無線ＩＣタグのためのリーダーライターと、２ｃｍ角の無線ＩＣタグのためのリーダーライターとを、別々に設計し製造する必要がある。【０００７】
本発明は、上記の問題に鑑みてなされたものであり、異なる種別の無線ＩＣタグに対して共通のリーダーライターを使用可能とする画像形成装置、並びにその画像形成装置で使用可能なリーダーライターおよび色剤カートリッジを得ることを目的とする。
【課題を解決するための手段】
【０００８】
本発明に係る画像形成装置は、色剤カートリッジ内の色剤を使用して画像形成を行う画像形成装置であって、無線ＩＣタグを装着した色剤カートリッジと、前記無線ＩＣタグに対するデータのリードライトを行うリーダーライターとを備える。前記色剤カートリッジは、複数のカートリッジ側接触端子と、前記複数のカートリッジ側接触端子の間に設けられた、前記無線ＩＣタグの種別に対応する負荷とを備える。前記リーダーライターは、前記無線ＩＣタグとの無線通信のためのアンテナコイルと、前記色剤カートリッジが当該画像形成装置に装着されたときに前記複数のカートリッジ側接触端子にそれぞれ接触する複数のリーダーライター側接触端子とを備える。そして、前記リーダーライター側接触端子に対して電気的に接続されている前記負荷に応じて、前記リーダーライターの無線送信特性を調整する。【０００９】
本発明に係るリーダーライターは、画像形成装置において使用される色剤カートリッジに装着されている無線ＩＣタグに対するデータのリードライトを行うリーダーライターであって、前記無線ＩＣタグとの無線通信のためのアンテナコイルと、前記色剤カートリッジが当該画像形成装置に装着されたときに、前記色剤カートリッジ上の複数のカートリッジ側接触端子にそれぞれ接触する位置における複数のリーダーライター側接触端子とを備える。そして、前記リーダーライター側接触端子に対して電気的に接続されている、複数のカートリッジ側接触端子の間に設けられている負荷に応じて、無線送信特性を調整する。【００１０】
本発明に係る色剤カートリッジは、画像形成装置において使用される色剤カートリッジであって、無線ＩＣタグと、複数のカートリッジ側接触端子と、前記複数のカートリッジ側接触端子の間に設けられた負荷とを備える。そして、前記複数のカートリッジ側接触端子は、当該色剤カートリッジが前記画像形成装置に装着されたときに、前記無線ＩＣタグに対するデータのリードライトを行うリーダーライターにおける複数のリーダーライター側接触端子にそれぞれ接触する位置に配置されており、前記負荷は、前記無線ＩＣタグの種別に対応して前記リーダーライターの無線送信特性を調整させるために、前記無線ＩＣタグの種別に対応したインピーダンスを有する。
【発明の効果】
【００１１】
本発明によれば、画像形成装置において、異なる種別の無線ＩＣタグに対して共通のリーダーライターが使用可能となる。【００１２】
本発明の上記又は他の目的、特徴および優位性は、添付の図面とともに以下の詳細な説明から更に明らかになる。
【図面の簡単な説明】
【００１３】
【図１】図１は、本発明の実施の形態に係る画像形成装置におけるトナーカートリッジおよびリーダーライターを示す斜視図である。
【図２】図２は、実施の形態１に係る画像形成装置の電気的な構成を示すブロック図である。
【図３】図３は、実施の形態２に係る画像形成装置の電気的な構成を示すブロック図である。
【発明を実施するための形態】
【００１４】
以下、図に基づいて本発明の実施の形態を説明する。
【００１５】
実施の形態１．
【００１６】
図１は、本発明の実施の形態に係る画像形成装置におけるトナーカートリッジおよびリーダーライターを示す斜視図である。
【００１７】
図１に示す画像形成装置は、図示せぬ電子写真方式の印刷装置を内蔵しており、トナーカートリッジ１およびリーダーライター２を備える。トナーカートリッジ１は、色剤カートリッジの一例である。
【００１８】
トナーカートリッジ１は、画像形成装置に対して着脱可能であって、収容しているトナーをその印刷装置内の現像装置へ供給する。トナーカートリッジ１は、収容しているトナーがなくなると、新しいトナーカートリッジ１に交換される。
【００１９】
トナーカートリッジ１は、無線ＩＣタグ１１と、複数のカートリッジ側接触端子１２と、複数のカートリッジ側接触端子１２の間に設けられた、無線ＩＣタグ１１の種別に対応する負荷１３とを備える。
【００２０】
無線ＩＣタグ１１は、アンテナおよび不揮発性メモリーを内蔵し、受信信号から電源電力を抽出して動作し、リーダーライター２との無線通信を行い、不揮発性メモリーに対するリードライトを実行する。不揮発性メモリーには、画像形成装置に関するデータ、このトナーカートリッジ１に関するデータなどが書き込まれる。
【００２１】
複数のカートリッジ側接触端子１２は、トナーカートリッジ１が画像形成装置に装着されたときに、リーダーライター２における複数のリーダーライター側接触端子２２にそれぞれ接触する位置に配置されている。
【００２２】
負荷１３は、無線ＩＣタグ１１の種別に対応してリーダーライター２の無線送信特性を調整させるために、無線ＩＣタグ１１の種別に対応したインピーダンスを有する。負荷１３は、例えば抵抗素子である。
【００２３】
無線ＩＣタグ１１のサイズが大きい場合（つまり、無線ＩＣタグ１１のアンテナのサイズが大きい場合）、リーダーライター２から無線ＩＣタグ１１への送信電力は小さくてもよいため、負荷１３の抵抗値は大きく設定され、無線ＩＣタグ１１のサイズが小さい場合（つまり、無線ＩＣタグ１１のアンテナのサイズが小さい場合）、リーダーライター２から無線ＩＣタグ１１への送信電力は大きくする必要があるため、負荷１３の抵抗値は小さく設定される。
【００２４】
複数のカートリッジ側接触端子１２は、例えば板金や導電性の配線パターンとして形成される。負荷１３は、例えば図１に示すように配線パターンでカートリッジ側接触端子１２ａ，１２ｂに接続されている。
【００２５】
なお、カートリッジ側接触端子１２と無線ＩＣタグ１１とは電気的に接続されていない。
【００２６】
リーダーライター２は、トナーカートリッジ１に装着されている無線ＩＣタグ１１に対するデータのリードライトを行う。
【００２７】
リーダーライター２は、無線ＩＣタグ１１との無線通信のためのアンテナコイル２１と、トナーカートリッジ１が画像形成装置に装着されたときに、トナーカートリッジ１上の複数のカートリッジ側接触端子１２にそれぞれ接触する位置における複数のリーダーライター側接触端子２２と、コネクター２３とを備える。
【００２８】
例えば図１に示すように、アンテナコイル２１は、基板２４の表面（または裏面）において形成され、リーダーライター側接触端子２２は、板バネとして基板２４の裏面にその一端を固定されている。また、基板２４には、板バネとしてのリーダーライター側接触端子２２の可動域を確保するための孔２５が形成されている。
【００２９】
コネクター２３は、メインコントローラーにケーブルを介して接続するためのコネクターである。
【００３０】
なお、図２において、リーダーライター２におけるその他の素子および配線パターンの図示は省略している。
【００３１】
そして、リーダーライター２は、リーダーライター側接触端子２２に対して電気的に接続されている、トナーカートリッジ１の負荷１３に応じて、無線送信特性を調整する。
【００３２】
図２は、実施の形態１に係る画像形成装置の電気的な構成を示すブロック図である。
【００３３】
図２に示すように、画像形成装置において、リーダーライター２は、コネクター２３を介してメインコントローラー３および画像形成装置の電源Ｖｃｃに接続されている。メインコントローラー３は、画像形成装置の内部装置（印刷装置、画像読取装置、通信装置、操作パネルなど）を制御して各種ジョブを実行する。メインコントローラー３は、制御プログラムを実行するＣＰＵ（Central Processing Unit）などのプロセッサーを有するコンピューター、ＡＳＩＣ（Application Specific Integrated Circuit）などである。
【００３４】
さらに、リーダーライター２は、発振回路３１、変調回路３２、共振回路３３、タグコントローラー３４、および復調回路３５を備える。
【００３５】
発振回路３１は、所定の単一周波数（例えば、１３．５６ＭＨｚ）の基準信号を搬送波として生成する。
【００３６】
変調回路３２は、電源電圧Ｖｃｃ１で動作し、所定の変調方式で、その搬送波を変調信号で変調して被変調信号を生成する。この実施の形態では、変調回路３２は、ＡＳＫ（Amplitude Shift Keying）変調で被変調信号を生成する。
【００３７】
なお、変調信号がない場合、変調回路３２は、その搬送波を変調せずにアンテナコイル２１に供給する。
【００３８】
共振回路３３は、アンテナコイル２１およびキャパシターＣによる直列共振回路である。
【００３９】
タグコントローラー３４は、無線ＩＣタグ１１に対するデータのリードライトのためにデータの符号化処理および復号化処理を行う。タグコントローラー３４は、制御プログラムを実行するＣＰＵなどのプロセッサーを有するコンピューター、ＡＳＩＣなどである。
【００４０】
具体的には、タグコントローラー３４は、（ａ）メインコントローラー３との間でデータ通信を行い、（ｂ）無線ＩＣタグ１１に送信すべきデータをメインコントローラー３から受信し、受信したデータを伝送路符号化して変調信号を生成し、（ｃ）復調回路３５からの復調信号を伝送路復号して受信データを生成し、メインコントローラー３へ送信する。
【００４１】
復調回路３５は、無線ＩＣタグ１１により所定の変調方式で変調された被変調波を復調して復調信号を生成する。
【００４２】
さらに、トナーカートリッジ１が画像形成装置に装着されている場合、図２に示すように、複数のリーダーライター側接触端子２２が、複数のカートリッジ側接触端子１２に接触し、電気的に両者が互いに接続する。
【００４３】
実施の形態１では、複数のリーダーライター側接触端子２２のうちの、リーダーライター側接触端子２２ａがコネクター２３（コネクター２３における、画像形成装置の電源Ｖｃｃに接続される端子）に電気的に接続され、複数のリーダーライター側接触端子２２のうちの、リーダーライター側接触端子２２ｂが、変調回路３２、タグコントローラー３４などの電源端子に電気的に接続される。
【００４４】
リーダーライター２における変調回路３２およびタグコントローラー３４以外の内部回路の電源端子には、リーダーライター側接触端子２２ｂが電気的に接続されるようにしてもよいし、コネクター２３における、画像形成装置の電源Ｖｃｃに接続される端子が電気的に接続されるようにしてもよい。
【００４５】
なお、上述の端子間は、配線パターンなどで接続される。
【００４６】
また、トナーカートリッジ１が画像形成装置に装着されている場合、リーダーライター側接触端子２２ａはカートリッジ側接触端子１２ａに接触しており、リーダーライター側接触端子２２ｂはカートリッジ側接触端子１２ｂに接触している。そして、カートリッジ側接触端子１２ａとカートリッジ側接触端子１２ｂとの間に負荷１３が配置されている。したがって、画像形成装置の電源Ｖｃｃが、トナーカートリッジ１の負荷１３を介して、リーダーライター２における変調回路３２、タグコントローラー３４などの電源端子に電気的に接続される。
【００４７】
このように、実施の形態１では、リーダーライター２は、負荷１３によって変調回路３２の電源電圧Ｖｃｃ１を調整してアンテナコイル２１の送信電力を調整することで、リーダーライター２の無線送信特性を調整する。
【００４８】
また、メインコントローラー３は、タグコントローラー３４との間でデータ通信を行い、タグコントローラー３４からの応答がない場合には、無線ＩＣタグ１１が存在していないと判定する。
【００４９】
トナーカートリッジ１が画像形成装置に装着されている場合には、負荷１３を介してタグコントローラー３４に電源電力が供給されるため、タグコントローラー３４は、動作し、メインコントローラー３との通信を行う。一方、トナーカートリッジ１が画像形成装置に装着されていない場合には、タグコントローラー３４に電源電力が供給されないため、タグコントローラー３４は、動作せず、メインコントローラー３との通信を行えない。したがって、この場合、メインコントローラー３においてタグコントローラー３４からの応答が受信されず、メインコントローラー３は、無線ＩＣタグ１１が存在していないと判定する。
【００５０】
次に、実施の形態１に係る画像形成装置の動作について説明する。
【００５１】
トナーカートリッジ１が画像形成装置に装着されている場合、図２に示すように、トナーカートリッジ１がリーダーライター２に電気的に接続されるとともに、リーダーライター２が、無線ＩＣタグ１１との間で通信可能となる。
【００５２】
これにより、負荷１３に応じた電源電圧Ｖｃｃ１で変調回路３２などが動作する。
【００５３】
無線ＩＣタグ１１にデータをライトする場合、メインコントローラー３は、ライトコマンドと、書き込むべきデータとをタグコントローラー３４へ送信する。
【００５４】
タグコントローラー３４は、ライトコマンドおよびそのデータを符号化して変調信号を生成し、変調回路３２に供給する。
【００５５】
変調回路３２は、発振回路３１からの搬送波をその変調信号で変調し、被変調信号を生成し、共振回路３３に出力する。このとき、負荷１３に応じた電力の被変調信号が共振回路３３に出力される。
【００５６】
共振回路３３のアンテナコイル２１と無線ＩＣタグ１１とは電磁気的に結合しており、アンテナコイル２１から無線ＩＣタグ１１へ被変調信号が伝送され、無線ＩＣタグ１１において、その被変調信号が復調信号（つまり、元の変調信号）へ復調され、その復調信号が元のライトコマンドおよびデータへ復号され、そのデータが無線ＩＣタグ１１内の不揮発性メモリーに書き込まれる。
【００５７】
無線ＩＣタグ１１からデータをリードする場合、メインコントローラー３は、リードコマンドをタグコントローラー３４へ送信する。
【００５８】
タグコントローラー３４は、リードコマンドを符号化して変調信号を生成し、変調回路３２に供給する。
【００５９】
変調回路３２は、発振回路３１からの搬送波をその変調信号で変調し、被変調信号を生成し、共振回路３３に出力する。このとき、負荷１３に応じた電力の被変調信号が共振回路３３に出力される。
【００６０】
アンテナコイル２１から無線ＩＣタグ１１へ被変調信号が伝送され、無線ＩＣタグ１１において、その被変調信号が復調信号（つまり、元の変調信号）へ復調され、その復調信号が元のリードコマンドへ復号され、そのリードコマンドにより指定されたデータが無線ＩＣタグ１１内の不揮発性メモリーから読み出される。
【００６１】
読み出されたデータは、無線ＩＣタグ１１において、伝送路符号化されて変調信号へ変換され、その変調信号で搬送波を変調する。そして、リーダーライター２において、復調回路３５が、その搬送波を検波して復調し、復調信号をタグコントローラー３４へ出力する。
【００６２】
タグコントローラー３４は、その復調信号を復号して、無線ＩＣタグ１１から読み出されたデータを取得し、メインコントローラー３へ送信する。
【００６３】
以上のように、上記実施の形態１によれば、トナーカートリッジ１は、無線ＩＣタグ１１を装着されており、リーダーライター２は、無線ＩＣタグ１１に対するデータのリードライトを行う。トナーカートリッジ１は、複数のカートリッジ側接触端子１２と、複数のカートリッジ側接触端子１２の間に設けられた、無線ＩＣタグ１１の種別に対応する負荷１３とを備える。リーダーライター２は、無線ＩＣタグ１１との無線通信のためのアンテナコイル２１と、トナーカートリッジ１が当該画像形成装置に装着されたときに複数のカートリッジ側接触端子１２にそれぞれ接触する複数のリーダーライター側接触端子２２とを備える。そして、リーダーライター側接触端子２２に対して電気的に接続されている負荷１３に応じて、リーダーライター２の無線送信特性が調整される。
【００６４】
これにより、トナーカートリッジ１の負荷１３に応じてリーダーライター２の無線送信特性が調整されるため、異なる種別の無線ＩＣタグ１１に対してリーダーライター２の回路構成を変更する必要がなく、異なる種別の無線ＩＣタグ１１に対して共通のリーダーライター２が使用可能となる。
【００６５】
また、上述のように、リーダーライター２と無線ＩＣタグ１１との間では、ヌルポイントなどに起因する通信不良が発生する可能性があるが、上述の技術では、ヌルポイントなどに起因する通信不良によって無線ＩＣタグとの通信ができないのか、そもそも無線ＩＣタグが存在していないのかを区別して検知することが困難である。
【００６６】
その点、実施の形態１によれば、メインコントローラー３は、タグコントローラー３４からの応答がなければ、無線ＩＣタグ１１が存在しないと判定し、タグコントローラー３４からの応答があるにも拘わらず無線ＩＣタグ１１に対するリードライトができなければ、ヌルポイントなどに起因する通信不良と判定する。
【００６７】
実施の形態２．
【００６８】
実施の形態２では、トナーカートリッジ１の負荷１３によって、リーダーライター２の共振回路３３のＱ値を調整することで、リーダーライター２の無線送信特性が、無線ＩＣタグ１１に合わせて調整される。
【００６９】
図３は、実施の形態２に係る画像形成装置の電気的な構成を示すブロック図である。
【００７０】
例えば図３に示すように、実施の形態２では、複数のリーダーライター側接触端子２２のうちの、負荷１３が接続されている２つのカートリッジ側接触端子１２ａ，１２ｂに対応する２つの接触端子２２ａ，２２ｂが、共振回路３３に直列に（または並列に）接続される。これにより、共振回路３３のＱ値は、負荷１３の抵抗値（あるいはインピーダンス値）によって決まる。実施の形態２では、このようにして、リーダーライター２の無線送信特性がトナーカートリッジ１の負荷１３で調整される。
【００７１】
例えば、無線ＩＣタグ１１のサイズが大きい場合、負荷１３の抵抗値が大きく設定され、共振回路３３のＱ値が小さくされ、無線ＩＣタグ１１のサイズが小さい場合、負荷１３の抵抗値が小さく設定され、共振回路３３のＱ値が大きくされる。つまり、実施の形態２では、共振周波数を変化せずに出力インピーダンスが調整される。
【００７２】
なお、図３に示すように、複数のリーダーライター側接触端子２２のうちの別の２つの接触端子２２が、コネクター２３（コネクター２３における、画像形成装置の電源Ｖｃｃに接続される端子）、および変調回路３２、タグコントローラー３４などの電源端子に電気的にそれぞれ接続され、その２つのリーダーライター側接触端子２２に対応する２つのカートリッジ側接触端子１２は、配線パターン１５などで短絡されている。これにより、実施の形態１と同様にして、メインコントローラー３は、無線ＩＣタグ１１の有無を特定することができる。
【００７３】
以上のように、上記実施の形態２によれば、実施の形態１と同様に、トナーカートリッジ１の負荷に応じてリーダーライター２の無線送信特性が調整されるため、異なる種別の無線ＩＣタグ１１に対してリーダーライター２の回路構成を変更する必要がなく、異なる種別の無線ＩＣタグ１１に対して共通のリーダーライター２が使用可能となる。
【００７４】
また、実施の形態２において、メインコントローラー３は、タグコントローラー３４からの応答がなければ、無線ＩＣタグ１１が存在しないと判定し、タグコントローラー３４からの応答があるにも拘わらず無線ＩＣタグ１１に対するリードライトができなければ、ヌルポイントなどに起因する通信不良と判定する。
【００７５】
なお、上述の実施の形態に対する様々な変更および修正については、当業者には明らかである。そのような変更および修正は、その主題の趣旨および範囲から離れることなく、かつ、意図された利点を弱めることなく行われてもよい。つまり、そのような変更および修正が請求の範囲に含まれることを意図している。
【００７６】
例えば、上記実施の形態１，２において、カートリッジ側接触端子１２の数およびリーダーライター側接触端子２２の数は５であるが、２以上の別の数でもよい。
【００７７】
また、上記実施の形態１，２における画像形成装置にインクカートリッジが装着される場合には、トナーカートリッジ１の代わりに、トナーカートリッジ１と同様の無線ＩＣタグ１１、カートリッジ側接触端子１２および負荷１３を有するインクカートリッジが使用される。
【００７８】
また、上記実施の形態１，２において、メインコントローラー３とタグコントローラー３４との間の通信には、電源電圧差の影響を回避するために、Ｉ２Ｃ通信などを使用してもよい。
【００７９】
また、上記実施の形態１，２において、負荷１３は、単一の素子であるが、分圧回路などの回路としてもよい。その場合、その回路に必要な数のカートリッジ側接触端子１２およびリーダーライター側接触端子２２が設けられ使用される。
【産業上の利用可能性】
【００８０】
本発明は、例えば、画像形成装置に適用可能である。
【図１】
0006551768.tif 000002
【図２】
0006551768.tif 000003
【図３】
0006551768.tif 000004